(57)【要約】  実施例による紙細断機は、第１長さを有する第１紙支持部と、前記第１長さより長い第２長さを有する第２紙支持部と、前記第１紙支持部と前記第２紙支持部の間に紙投入口を含む紙支持部と、前記第２紙支持部に形成された開口を介して一部分が前記第２紙支持部の上側に露出される第１ローラと、前記第１紙支持部に形成された開口を介して一部分が前記第１紙支持部の上側に露出される第２ローラと、前記紙投入口の下に配置されて流入される紙を破砕するカッターと、前記第１ローラ、第２ローラ及びカッターを駆動するモータと、を含み、前記第１紙支持部及び前記第２紙支持部は前記紙投入口に隣接するほど高さが低くなる。【選択図】図３
2013529544.tif 000002
【特許請求の範囲】
【請求項１】
第１長さを有する第１紙支持部と、前記第１長さより大きい第２長さを有する第２紙支持部と、前記第１紙支持部と前記第２紙支持部との間に紙投入口を含む紙支持部と、
前記第２紙支持部に形成された開口を介して一部分が前記第２紙支持部の上側に露出される第１ローラと、
前記第１紙支持部に形成された開口を介して一部分が前記第１紙支持部の上側に露出される第２ローラと、
前記紙投入口の下に配置されて流入される紙を破砕するカッターと、
前記第１ローラ、第２ローラ及びカッターを駆動するモータと、を含み、
前記第１紙支持部及び第２紙支持部は、前記紙投入口に隣接するほど高さが低くなる紙細断機。
【請求項２】
前記第２紙支持部に形成された開口を介して一部分が前記第２紙支持部の上側に露出され、前記第１ローラと離隔された第３ローラを更に含む請求項１に記載の紙細断機。
【請求項３】
第１紙支持部と第２紙支持部を含み、前記第１紙支持部と前記第２紙支持部との間に形成された紙投入口を含む紙支持部と、
前記第１紙支持部及び第２紙支持部にそれぞれ配置される少なくとも一つのローラと、
前記紙投入口の下に配置されて流入される紙を破砕するカッターと、
前記ローラ及びカッターを駆動するモータと、を含み、
前記第１紙支持部に配置されるローラの数と前記第２紙支持部に配置されるローラの数は互いに異なる紙細断機。
【請求項４】
前記ローラは、前記第１紙支持部に配置される第２ローラと、前記第２紙支持部に配置される第１ローラ及び第３ローラを含む請求項３に記載の紙細断機。
【請求項５】
前記第１ローラと前記第２ローラは、前記紙投入口から同じ距離に位置する請求項１又は請求項４に記載の紙細断機。
【請求項６】
前記第１ローラ及び第２ローラは、前記第３ローラより前記紙投入口に隣接して配置される請求項２又は請求項４に記載の紙細断機。
【請求項７】
前記紙支持部には紙の蓄積可否を判断する紙蓄積感知センサが配置される請求項１又は請求項３に記載の紙細断機。
【請求項８】
前記紙蓄積感知センサは、一部分が前記紙支持部を貫通して前記紙支持部の上に露出されて紙が蓄積されることによって回転する回転レバーと、前記回転レバーの回転可否を感知して前記紙の蓄積可否を感知するセンサ部と、を含む請求項７に記載の紙細断機。
【請求項９】
前記紙細断部の上に配置されるカバーを更に含む請求項１又は請求項３に記載の紙細断機。
【請求項１０】
前記カバーに結合されて弾性支持され、前記第１紙支持部の上に配置される第１プレスユニット及び前記第２紙支持部の上に配置される第２プレスユニットを含む請求項９に記載の紙細断機。
【請求項１１】
前記カバーを貫通し、第１プレスユニット及び第２プレスユニットとの間に配置される手動紙投入口を含む請求項１０に記載の紙細断機。
【請求項１２】
前記第１プレスユニット及び第２プレスユニットに形成された避難溝を含む請求項１０に記載の紙細断機。
【請求項１３】
前記第１紙支持部は第１長さを有し、前記第２紙支持部は前記第１長さより長い第２長さを有する請求項３に記載の紙細断機。
【請求項１４】
前記第１紙支持部及び第２紙支持部は、前記紙投入口に隣接するほど高さが低くなる請求項３に記載の紙細断機。
【請求項１５】
紙投入口を間に挟んで第１紙支持部に配置される第２ローラと第２紙支持部に配置される第１ローラ及び第３ローラによって第１群の紙が前記紙投入口に移動されながら前記紙投入口の下に配置されるカッターによって破砕される段階と、
前記第１群の紙が移動されることで前記第２ローラ及び第３ローラによって前記第１群の紙の上に配置された第２群の紙が前記紙投入口に移動され、同時に前記第１ローラによって前記第１群の紙が前記紙投入口に移動されて前記カッターによって破砕される段階と、を含む紙細断方法。
【請求項１６】
前記第２群の紙は、前記第２ローラ及び第３ローラのうちいずれか一つによって前記紙投入口に移動され、前記第２ローラ及び第３ローラ全てによって前記紙投入口に移動される請求項１５に記載の紙細断方法。
【請求項１７】
紙投入口を間に挟んで第１紙支持部と第２紙支持部が形成された紙支持部の上に紙が配置される段階と、
前記第１紙支持部に配置される少なくとも一つのローラと、第２紙支持部に配置される少なくとも一つのローラによって前記紙が前記紙投入口に移動されて破砕される段階と、を含み、
前記紙と接するローラの数は、前記紙が前記紙投入口に移動されることによって減少される紙細断方法。
【請求項１８】
前記第１紙支持部に配置されるローラの数と前記第２紙支持部に配置されるローラの数は互いに異なる請求項１７に記載の紙細断方法。
【発明の詳細な説明】
【技術分野】
【０００１】
本発明は、紙細断機及び紙細断方法に関するものである。
【背景技術】
【０００２】
紙細断機は、不必要な文書又は秘密を要する文書を迅速で安全に細断してなくすための装置である。
【０００３】
紙細断機は、紙を手動で投入して細断するか自動給紙システムを利用して多量の紙を自動的に投入して細断することができる。特に、自動給紙システムを利用して多量の紙を自動的に投入して細断する場合、紙がくちゃくちゃになるかちぎれる問題によって紙詰まり（ｊａｍ）、紙の過多投入、給紙中断などのように紙細断機に故障が発生する場合がある。
【０００４】
一般に、紙細断機に投入される紙はコピー機のような装置に投入される紙とは異なって長期間の使用による損傷が多く、自動給紙システムが円滑に動作しない場合が多い。
【発明の概要】
【発明が解決しようとする課題】
【０００５】
本発明は、新たな構造を有する紙細断機及び紙細断方法を提供する。
【０００６】
本発明は紙詰まり、紙の過多投入、給紙中断のような自動給紙システムで発生する故障を減少させる紙細断機及び紙細断方法を提供する。
【０００７】
本発明は、より迅速に紙を細断する紙細断機及び紙細断方法を提供する。
【課題を解決するための手段】
【０００８】
実施例による紙細断機は、第１長さを有する第１紙支持部と、前記第１長さより長い第２長さを有する第２紙支持部と、前記第１紙支持部と前記第２紙支持部の間に紙投入口を含む紙支持部と、前記第２紙支持部に形成された開口を介して一部分が前記第２紙支持部の上側に露出される第１ローラと、前記第１紙支持部に形成された開口を介して一部分が前記第１紙支持部の上側に露出される第２ローラと、前記紙投入口の下に配置されて流入される紙を破砕するカッターと、前記第１ローラ、第２ローラ及びカッターを駆動するモータと、を含み、前記第１紙支持部及び前記第２紙支持部は前記紙投入口に隣接するほど高さが低くなる。
【０００９】
実施例による紙細断機は、第１紙支持部と第２紙支持部を含み、前記第１紙支持部と前記第２紙支持部の間に形成された紙投入口を含む紙支持部と、前記第１紙支持部及び前記第２紙支持部の間に形成された紙投入口を含む紙支持部と、前記第１紙支持部及び第２紙支持部にそれぞれ配置される少なくとも一つのローラと、前記紙投入口の下に配置されて流入される紙を破砕するカッターと、前記ローラ及びカッターを駆動するモータと、を含み、前記第１紙支持部に配置されるローラの数と前記第２紙支持部に配置されるローラの数は互いに異なる。
【００１０】
実施例による紙細断方法は、紙投入口を間に挟んで第１紙支持部に配置される第２ローラと第２紙支持部に配置される第１ローラ及び第３ローラによって第１群の紙が前記紙投入口に移動されながら前記紙投入口の下に配置されるカッターによって破砕される段階と、前記第１群の紙が移動されることによって前記第２ローラ及び第３ローラによって前記第１群の紙の上に配置された第２群の紙が前記紙投入口に移動され、同時に前記第１ローラによって前記第１群の紙が前記紙投入口に移動されて前記カッターによって破砕される段階と、を含む。
【００１１】
実施例による紙細断方法は、紙投入口を間に挟んで第１紙支持部と第２紙支持部が形成された紙支持部の上に紙が配置される段階と、前記第１紙支持部に配置される少なくとも一つのローラと第２紙支持部に配置される少なくとも一つのローラによって前記紙が前記紙投入口に移動されて破砕される段階と、を含み、前記紙と接するローラの数は前記紙が前記紙投入口に移動されることによって減少する。
【発明の効果】
【００１２】
本発明は、新たな構造を有する紙細断機及び紙細断方法を提供することができる。
【００１３】
本発明は紙詰まり、紙の過多投入、給紙中断のような自動給紙システムで発生する故障を減少させる紙細断機及び紙細断方法を提供することができる。
【００１４】
本発明は、より迅速に紙を細断する紙細断機及び紙細断方法を提供することができる。
【図面の簡単な説明】
【００１５】
【図１】実施例による紙細断機の斜視図である。
【図２】実施例による紙細断機からカバーを開放した形を示す斜視図である。
【図３】実施例による紙細断機における紙細断部の断面図である。
【図４】実施例による紙細断機からカバーを開放した形を示す断面図である。
【図５】実施例による紙細断機における紙支持部の長さ及び角度を説明する図である。
【図６】実施例による紙細断機の作動例を示す図である。
【図７】実施例による紙細断機の作動例を示す図である。
【図８】実施例による紙細断機の紙細断方法を説明する図である。
【図９】実施例による紙細断機の紙細断方法を説明する図である。
【図１０】実施例による紙細断機の紙細断方法を説明する図である。
【図１１】実施例による紙細断機における手動方式で紙を破砕することを説明する図である。
【図１２】紙蓄積感知センサを説明する図である。
【図１３】紙蓄積感知センサを説明する図である。
【発明を実施するための形態】
【００１６】
以下、添付した図面を参照して本発明の実施例による紙細断機及び紙細断方法について詳細に説明する。
【００１７】
図１は実施例による紙細断機の斜視図であり、図２は実施例による紙細断機からカバーを開放した形を示す斜視図であり、図３は実施例による紙細断機における紙細断部の断面図であり、図４は実施例による紙細断機からカバーを開放した形を示す断面図であり、図５は実施例による紙細断機における紙支持部の長さ及び角度を説明する図である。
【００１８】
図１乃至図５を参照すると、実施例による紙細断機３００は紙細断部１００と、前記紙細断部１００の下に配置されて前記紙細断部１００を支持する紙箱２００を含む。前記紙細断部１００は紙が投入されることに応じて紙を細断する部分であり、前記紙箱２００は前記紙細断部１００で細断された紙が貯蔵される部分である。
【００１９】
図１と図２では前記紙細断部１００と前記紙箱２００が結合されて設定されていることが例示されているが、前記紙箱２００は必ず設定されるべきものではない。即ち、前記紙細断部１００だけで実施例による紙細断機３００の動作が可能であり、前記紙箱２００は前記紙細断部１００で細断された紙を貯蔵し前記紙細断部１００を支持する役割を果たす。例えば、前記紙細断部１００を任意の装置に固定した後、前記紙細断部１００の下に使い捨てゴミ袋を配置して使用してもよい。
【００２０】
また、前記紙箱２００内にモータ、制御装置、インターフェースなどを具備するようにして前記紙細断部１００と紙箱２００が共に具備されなければ動作しないように設計してもよい。
【００２１】
前記紙細断部１００は、カバー１０と紙支持部２０を含む。前記カバー１０と紙支持部２０との間の空間には細断しようとする紙が配置されてもよい。
【００２２】
前記紙支持部２０は第１紙支持部２１と第２紙支持部２２を含む。前記第１紙支持部２１及び第２紙支持部２２は、紙投入口２３の両側に配置される。
【００２３】
前記紙支持部２０には第１ローラ３１、第２ローラ３２及び第３ローラ３３が配置されてもよい。即ち、前記第１紙支持部２１には少なくとも一つのローラが配置され、前記第２紙支持部２２にも少なくとも一つのローラが配置される。実施例では、前記第１紙支持部２１に前記第２ローラ３２が配置され、前記第２紙支持部２２に前記第１ローラ３１及び第３ローラ３３が配置されることが例示されている。
【００２４】
実施例では、前記紙投入口２３を基準に両側に前記第１紙支持部２１と第２紙支持部２２が形成され、前記第１紙支持部２１に配置されるローラと前記第２紙支持部２２に配置されるローラは少なくとも一つが非対称的な位置に形成されてもよく、非対称的な個数で形成されてもよい。これを介し、実施例による紙細断機３００はより速い速度で紙を細断することができる。
【００２５】
前記第１紙支持部２１に配置される前記第２ローラ３２は、前記紙投入口２３を基準に前記第２紙支持部２２に配置される前記第１ローラ３１と対称的な位置に配置されてもよい。即ち、前記第１ローラ３１の中心から前記紙投入口２３の中心までの距離（Ｆ）は、前記第２ローラ３２の中心から前記紙投入口２３の中心までの距離（Ｂ）と実質的に同じであるか類似して形成されてもよい。例えば、前記第１ローラ３１の中心から前記紙投入口２３の中心までの距離（Ｆ）は、前記第２ローラ３２の中心から前記紙投入口２３の中心までの距離（Ｂ）の１０％以下の偏差を有するように設計されてもよい。
【００２６】
また、前記第２紙支持部２２に配置される前記第３ローラ３３は、前記紙投入口２３を中心に前記第１紙支持部２１に配置される前記第２ローラ３２と対称的な位置に配置されてもよい。即ち、前記第３ローラ３３の中心から前記紙投入口２３の中心までの距離（Ｇ）は、前記第２ローラ３２の中心から前記紙投入口２３の中心までの距離（Ｂ）より長く形成されてもよい。
【００２７】
また、前記第１紙支持部２１の有効距離（Ｃ）と前記第２紙支持部２２の有効距離（Ｅ）の合計は、紙の規格であるＡ４サイズ又はレターサイズと実質的に同じであるか類似して形成されてもよい。
【００２８】
また、前記第２ローラ３２の中心から前記第１紙支持部２１の有効領域先端までの長さ（Ａ）は、前記第３ローラ３３の中心から前記第２紙支持部２２の有効領域先端までの長さ（Ｄ）と同じであるか類似して形成されてもよく、２０％以下の偏差を有するように設計されてもよい。この場合、より効果的な紙の移送が可能となる。
【００２９】
また、前記紙投入口２３の中心から前記第１紙支持部２１の有効領域先端までの距離（Ｃ）の倍、即ち、前記紙投入口２３の有効距離（Ｃ）の倍と前記第３ローラ３３の中心から前記紙投入口２３の中心までの距離（Ｇ）を足すと紙の規格であるＡ４サイズ又はレターサイズと実質的に同じであるか類似し、前記紙の規格であるＡ４サイズ又はレターサイズと２０％以下の偏差を有する。
【００３０】
例えば、前記紙投入口２３の中心から前記第１紙支持部２１の有効領域先端までの距離（Ｃ）がＡ４サイズの１／４として設計されると、前記第３ローラ３３の中心から前記紙投入口２３の中心までの長さ（Ｇ）はＡ４サイズの１／２の２０％以下の偏差を有する値として設計されてもよい。
【００３１】
前記第１ローラ３１、第２ローラ３２及び第３ローラ３３は回転軸が前記第１紙支持部２１及び第２紙支持部２２の下に配置され、前記第１紙支持部２１及び第２紙支持部２２に形成された開口を介して一部分が前記第１紙支持部２１及び第２紙支持部２２の上側に露出される。
【００３２】
前記第１ローラ３２及び第３ローラ３３は紙が前記紙投入口２３が配置された方向に移動されるように第１方向に回転し、前記第２ローラ３２は紙が前記紙投入口２３が配置された方向に移動されるように前記第１方向と逆方向である第２方向に回転される。例えば、前記第１ローラ３１及び第２ローラ３３は反時計周りに回転し、前記第２ローラ３２は時計回りに回転してもよい。
【００３３】
前記第１ローラ３１、第２ローラ３２及び第３ローラ３３が回転することで、前記第１紙支持部２１及び第２紙支持部２２の上に配置される紙は前記紙投入口２３の上に配置される部分が折られながら前記紙投入口２３に投入される。
【００３４】
前記第１ローラ３１、第２ローラ３２及び第３ローラ３３は、紙と接する面の摩擦力が増加するように紙と接する面がゴム材質で形成されるかピンが形成されてもよい。
【００３５】
前記紙投入口２３の下にはカッター４１が配置される。前記カッター４１は前記紙投入口２３を介して投入される紙を破砕する役割を果たす。
【００３６】
そして、前記紙投入口２３と前記カッター４１との間には、紙投入感知センサ５１が配置されてもよい。前記紙投入感知センサ５１は前記紙投入口２３を介して紙が投入されるか否かを感知することで、前記紙投入口２３に紙が投入されない場合には前記カッター４１が回転されないようにする。例えば、前記紙投入感知センサ５１は前記紙投入口２３の両側に配置される発光部及び受光部を含む光センサで形成されてもよい。
【００３７】
前記紙支持部２０の下にはモータ６１が配置される。前記モータ６１は、電源が印加されることによって前記カッター４１、第１ローラ３１、第２ローラ３２、第３ローラ３３を駆動する。前記モータ６１と前記カッター４１、第１ローラ３１、第２ローラ３２及び第３ローラ３３はそれぞれギア又はベルトなどで連結されて前記モータ６１から発生した回転力が伝達されてもよく、回転力の伝達方法は多様に設計されてもよい。
【００３８】
前記第２紙支持部２２には、紙蓄積感知センサ５２が形成されてもよい。前記紙蓄積感知センサ５２は前記第２紙支持部２２の上に蓄積された紙があるのか否かを感知することで、前記第２紙支持部２２の上に蓄積された紙がない場合には一定時間が経過した後前記カッター４１及び／又は前記第１，２，３ローラ３１，３２，３３が回転されないようにする。
【００３９】
図１２及び図１３は、紙蓄積感知センサを説明する図である。
【００４０】
図１２乃至図１３を参照すると、前記紙蓄積感知センサ５２はセンサブラケット５２１と、前記センサブラケット５２１に設置されて指示される回転レバー５２２及びセンサ部５２３を含む。但し、図１２及び図１３では理解の便宜上、前記センサブラケット５２１から前記回転レバー５２２及びセンサ部５２３を分離して図示している。
【００４１】
前記回転レバー５２２は接触部５２２ａ、遮蔽部５２２ｂ、オモリ５２２ｃ及び回転軸５２２ｄを含む。
【００４２】
前記接触部５２２ａは一部分が前記第２紙支持部２２の上側に突出され、前記第２紙支持部２２の上に紙が配置される場合紙が押す力によって前記回転軸５２２ｄを中心に回転するようになる。前記回転軸５２２ｄは、前記センサブラケット５２１に回転可能に結合される。
【００４３】
前記回転軸５２２ｄには前記遮蔽部５２２ｂ結合される。実施例において、前記接触部５２２ａと前記遮蔽部５２２ｂは前記回転軸５２２ｄを中心に逆方向に配置される。
【００４４】
前記遮蔽部５２２ｂは前記センサ部５２３の発光部５２３ａと受光部５２３ｂとの間に配置され、前記発光部５２３ａから放出された光が前記受光部５２３ｂに入射されることを遮蔽する。前記遮蔽部５２２ｂが前記発光部５２３ａと受光部５２３ｂとの間に配置される場合と前記遮蔽部５２２ｂが前記発光部５２３ａと受光部５２３ｂとの間に配置されない場合とで前記センサ部５２３で感知する信号に差が発生し、前記第２紙支持部２２の上に紙が配置されたのか否かを感知することができる。
【００４５】
前記回転軸５２２ｄの両先端には前記オモリ５２２ｃが結合される。前記オモリ５２２ｃは、前記第２紙支持部２２の上に紙が配置されない場合重力によって前記オモリ５２２ｃが最も低い位置に移動し、それによって前記遮蔽部５２２ｂが前記発光部５２３ａと受光部５２３ｂとの間に配置されるようにする。そして、前記オモリ５２２ｃは前記第２紙支持部２２の上に紙が配置される場合、前記接触部５２２ａが押されながら前記回転軸５２２ｄを中心に前記オモリ５２２ｃが回転され、それによって前記遮蔽部５２２ｂが前記発光部５２３ａと受光部５２３ｂとの間に配置されなくなる。
【００４６】
実施例による紙蓄積感知センサ５２は、紙との直接接触によって回転レバー５２２が動作し、それによってセンサ部５２３で光信号が感知されながら紙の配置可否を判断する。
【００４７】
他の実施例として、前記紙蓄積感知センサ５２は前記第１紙支持部２１及び／又は第２紙支持部２２に配置されてもよく、また他の実施例として、前記紙蓄積感知センサ５２は前記第２紙支持部２２の上側及び下側に配置される発光部と受光部を含む光センサで具備されてもよい。この場合、前記発光部と受光部との間に紙くずのような異物が積もってセンサが正常的な動作をすることができなくなるか、配置された紙が一枚である場合発光部から放出された光が紙を容易に透過して光センサが誤作動をする可能性もある。
【００４８】
また、前記紙投入感知センサ５１は前記紙蓄積感知センサ５２と同じく回転レバーとセンサ部を含んで形成されてもよい。
【００４９】
前記紙投入感知センサ５１及び紙蓄積感知センサ５２で感知した信号はコントローラ７０に伝達される。前記コントローラ７０は、前記紙投入感知センサ５１及び紙蓄積感知センサ５２から伝達された信号に応じて前記カッター４１及び／又は前記第１，２，３ローラ３１，３２，３３の作動を制御する。
【００５０】
前記カバー１０は紙支持部２０の上側に配置され、一側が前記紙支持部２０に回動可能に結合される。即ち、前記カバー１０は図１及び図２に示したように開閉可能に設けられる。
【００５１】
図２に示したように前記カバーには押突起１６ａが形成され、前記押突起１６ａに対応する前記紙細断部１００の一側にはマイクロスイッチ１６ｂが形成される。前記押突起１６ａは、前記カバー１０を閉めることによって前記マイクロスイッチ１６ｂを押すようになる。よって、前記カバー１０が開かれた状態であるのか閉められた状態であるのかに対する信号を前記マイクロスイッチ１６ｂを介して前記コントローラ７０が感知し、それによって紙細断部１００の動作を制御する。例えば、前記紙細断部１００は前記カバー１０が閉められた場合にのみ動作するようにしてもよい。
【００５２】
前記カバー１０は第１プレスユニット１２と第２プレスユニット１４を含む。前記第１プレスユニット１２は、前記第１紙支持部２１の上側に配置されてバネ１３によって弾性支持される。そして、前記第２プレスユニット１４は、前記第２紙支持部２２の上側に配置されてバネ１３によって弾性支持される。
【００５３】
前記第１プレスユニット１２及び第２プレスユニット１４は前記紙支持部２０の上に配置される紙を加圧することで、紙が前記第１，２，３ローラ３１，３２，３３が回転されることで適切な摩擦力によって円滑に前記紙投入口２３に投入されるようにする。
【００５４】
前記第１プレスユニット１２及び第２プレスユニット１４は、前記第１，２，３ローラ３１，３２，３３及び紙蓄積感知センサ５２に対応する部分に凹んだ形状の第１避難溝１２ａ及び第２避難溝１４ａ，１４ｂ，１４ｃが形成される。前記第１避難溝１２ａ及び第２避難溝１４ａ，１４ｂ，１４ｃは、前記第１，２，３ローラ３１，３２，３３及び紙蓄積感知センサ５２と紙との間に過度な摩擦力が発生することを防止し、前記第１，２，３ローラ３１，３２，３３の上に配置される紙が前記第１，２，３ローラ３１，３２，３３の形に沿って曲面状を有するようにすることで、前記第１，２，３ローラ３１，３２，３３によって紙が効果的に移送されるようにする。
【００５５】
前記紙蓄積感知センサ５２の上に配置される前記第２避難溝１４ｂは、前記第２紙支持部２２の上に紙が配置されない場合、前記紙蓄積感知センサ５２の接触部５２２ａが前記第２プレスユニット１４によって押されて前記紙細断部１００が誤作動することを防止する。
【００５６】
また、前記カバー１０には手動紙投入口１１が更に形成されてもよい。前記手動紙投入口１１は、前記紙投入口２３の上側方向に配置されて少量の紙をユーザが直接投入し得るように形成される。
【００５７】
実施例において、前記第１紙支持部２１は前記紙投入口２３から第１長さ（Ｃ）で形成され、前記第２紙支持部２２は前記紙投入口２３から前記第１長さ（Ｃ）より長い第２長さ（Ｅ）で形成される。即ち、前記第１紙支持部２１と前記第２紙支持部２２は前記紙投入口２３を中心に非対称的な長さで形成される。
【００５８】
また、実施例において、前記第１紙支持部２１は水平面に対して第１勾配（θ１）で形成され、前記第２紙支持部２２は前記水平面に対して前記第１勾配（θ１）より小さい第２勾配（θ２）で形成される。即ち、前記第１紙支持部２１と前記第２紙支持部２２は互いに異なる角度の勾配を有する。例えば、前記第１紙支持部２１は先端から前記紙投入口２３に隣接するほど高さが急激に減少するが、前記第２紙支持部２２は先端から前記紙投入口２３に隣接するほど高さが緩慢に減少する。また、前記第１勾配（θ１）は前記第２勾配（θ２）より小さくてもよい。
【００５９】
即ち、実施例において、前記紙支持部２０は前記紙投入口２３を中心に両側の角度及び／又は長さが互いに異なり、ほぼ非対称的なＶ字型又はＹ字型で形成される。
【００６０】
一般に、プリントやファックスなどは給紙された紙が印刷やコピーなどの目的に符合するように給紙の後次の過程に移送される際必ず一側先端から他側先端までしわなく供給されるべきであるが、紙細断機は紙の破砕を目的としているため紙がしわくちゃになるか折られても問題にならない。特に、破砕を目的とする紙は殆ど長期間湿気に露出されて曲げが発生し、しわ又はちぎれなどが発生して損傷されている状態であるため、紙の先端の位置を制御して紙の先端から前記紙投入口２３に投入されるようにして破砕することが容易ではない。
【００６１】
よって、実施例による紙細断機３００は、供給された紙が非対称的に折られた状態で紙投入口２３に投入されるように紙支持部２０の形を非対称的に形成する。
【００６２】
図６と図７は、実施例による紙細断機の作動例を示す図である。
【００６３】
図６と図７を参照すると、実施例による紙細断機は、図４に示したように前記カバー１０を回転させて前記紙支持部２０が露出されるように前記カバー１０を開放する。そして、前記紙支持部２０の上に多量の紙（Ｐ）を配置する。
【００６４】
そして、前記カバー１０を閉めると前記押突起１６ａが前記マイクロスイッチ１６ｂを押すことによって発生する信号を感知し、前記紙蓄積感知センサ５２からの信号を感知することで前記紙細断機３００が動作する。
【００６５】
前記第１，２，３ローラ３１，３２，３３が回転されると、前記多量の紙（Ｐ）のうち第１，２，３ローラ３１，３２，３３に隣接した、即ち、下部に配置された第１群の紙が前記第１，２，３ローラの回転力を受けて前記紙投入口２３に投入される。前記第１群の紙は前記多量の紙（Ｐ）のうち一番下に配置された一枚の紙であってもよく、２〜４枚の紙であってもよい。即ち、同時に移動される紙の枚数は、前記第１，２，３ローラ３１，３２，３３の特性や紙の状態などに応じて異なり得る。
【００６６】
前記第１，３ローラ３１，３３の回転方向と第２ローラ３２の回転方向が互いに異なり、前記紙投入口２３が形成された部分の高さが前記第１紙支持部２１及び第２紙支持部２２に比べて低いため、紙（Ｐ）は前記紙投入口２３が形成された部分に対応する部分が折られながら前記紙投入口２３に流入されて前記カッター４１によって破砕される。
【００６７】
この際、１次的に投入される前記第１群の紙は非対称的に折られるようになるが、最初は第１，２，３ローラ３１，３２，３３によって力を受けて移動され、前記第１群の紙が前記紙投入口２３に折られて入れられることによって前記第１ローラ３１によって力を受け、前記紙投入口２３に流入される。もちろん、前記第１群の紙の一部が前記カッター４１に流入される場合、前記第１，２，３ローラ３１，３２，３３から印加される力の他に前記カッター４１が紙を引き入れる力によって前記紙が前記紙投入口２３により容易に流入されることができる。例えば、前記第１群の紙は１〜４枚であってもよく、紙の間の摩擦力や紙の状態に応じて同時に移動される紙の数は変化され得る。
【００６８】
また、前記第１群の紙は、最初は第１，２，３ローラ３１，３２，３３によって力を受けて移動され、前記第１群の紙が前記紙投入口２３に折られて入れられることによって前記第１，２ローラ３１，３２によって力を受け、最後に前記第１ローラ３１によって力を受けて前記紙投入口２３に流入されてもよい。
【００６９】
また、前記第１群の紙は、最初は第１，２，３ローラ３１，３２，３３によって力を受けて移動され、前記第１群の紙が前記紙投入口２３に折られて入れられることによって前記第１，２ローラ３１，３２によって力を受け、最後に前記第１ローラ３１によって力を受けて前記紙投入口２３に流入されてもよい。
【００７０】
即ち、実施例において、前記紙は複数のローラによって力を受けて前記紙投入口２３に移動され、前記紙が移動されることで力を加えるローラの数が減少されながら最終的に一つのローラによって力を受けて前記紙投入口２３に流入されてもよい。このような現象は、前記複数のローラが配置された位置と前記紙支持部２０が前記紙投入口２３を基準に非対称的であるためである。
【００７１】
一方、前記第２，３ローラ３２，３３は続けて回転するため、前記第１ローラ３１が前記第１群の紙に力を加える間、前記第２，３ローラ３２，３３は２次的に投入される第２群の紙に力を加えてもよい。即ち、前記第１ローラ３１が１次的に投入される第１群の紙を押している間、前記第２，３ローラ３２，３３は前記１次的に投入される第１群の紙の上に配置される２次的に投入される第２群の紙を押し出す。
【００７２】
及びに、２次的に投入される第２群の紙は１次的に投入される第１群の紙の移動に応じて前記第１群の紙との摩擦力によって一緒に移動する力を受けるため、前記第３ローラ３３及び／又は第２ローラ３２によってのみ直接的に力を受けても前記紙投入口２３に円滑に移動されることができる。
【００７３】
よって、１次的に投入される第１群の紙が前記紙投入口２３に投入される間、２次的に投入される第２群の紙が同時に前記紙投入口２３に投入されるため、多量の紙を迅速に破砕することが可能になる。前記第２群の紙は、上述した前記第１群の紙と同じく１枚であってもよく、２〜４枚であってもよい。
【００７４】
図８乃至図１０は、実施例による紙細断機の紙細断方法を説明する図である。図８乃至図１０で紙細断方法を説明するに当たって、説明の便宜上、前記第１，２，３ローラ３１，３２，３３によって数枚の紙が同時に移動されるのではなく一枚ずつ移動されることとして例示する。
【００７５】
実施例において、前記第１紙支持部２１の長さ（Ｃ）は、紙の規格であるＡ４サイズの１／５乃至１／３の長さで形成されてもよい。例えば、Ａ４サイズの紙は２９７ｍｍの長さを有し、前記第１紙支持部２１の長さ（Ｃ）は５９．４ｍｍ乃至９９ｍｍで形成されてもよい。もちろん、前記第１紙支持部２１の長さが上述した範囲に限定されることはなく、例えば、５９．４ｍｍより短くてもよく、９９ｍｍより長くてもよい。
【００７６】
また、実施例において、前記第１紙支持部２１の長さ（Ｃ）は、紙の規格であるレターサイズの１／５乃至１／３の長さで形成されてもよい。例えば、レターサイズの紙は２９７．４ｍｍの長さを有し、前記第１紙支持部２１の長さ（Ｃ）は５５．９ｍｍ乃至９３．２ｍｍで形成されてもよい。もちろん、前記第１紙支持部２１の長さが上述した範囲に限定されることはなく、例えば、５５．９ｍｍより短くても良よく、９３．２ｍｍより長くてもよい。
【００７７】
図８は、前記第１紙支持部２１の長さ（Ｃ）が９９ｍｍとして設定された場合に紙が前記紙投入口２３に流入されながら細断されることを説明する図である。
【００７８】
実施例による紙細断機３００は、多数の紙が前記紙支持部２０に配置される場合、細断初期、定格細断期、細断後期によって同時に細断される紙が重なる回数が変化する。
【００７９】
例えば、細断初期には１番目の紙（Ｐ１）が折られながら同時に２重の紙が細断され、その後４重、３重で細断されながら定格細断期に入って５重、４重、３重で一定のサイクルを成して細断され、細断後期に入って２重、１重に細断される。
【００８０】
前記紙支持部２０の上に多数の紙が配置された状態で紙細断機３００が動作すると、前記第１紙支持部２１及び前記第２紙支持部２２の上に配置される１番目の紙（Ｐ１）が前記第１，２，３ローラ３１，３２，３３によって力を受けて非対称的なＶ字型に折られながら前記紙投入口２３に流入されて細断が始まる。この際、前記１番目の紙（Ｐ１）は２重で破砕される。
【００８１】
前記１番目の紙（Ｐ１）が前記紙支持部２０の上で前記紙投入口２３の方向に移動されることで前記第２，３ローラ３２，３３は２番目の紙（Ｐ２）と接することになり、前記２番目の紙（Ｐ２）は前記第２，３ローラ３３によって力を受けて前記紙投入口２３に流入されて細断が始まる。この際、前記第１紙支持部２１の上に配置される前記１番目の紙（Ｐ１）及び前記２番目の紙（Ｐ２）と、前記第２紙支持部２２の上に配置される前記１番目の紙（Ｐ１）及び２番目の紙（Ｐ２）が同時に細断されながら４重の紙が破砕される。
【００８２】
前記第１紙支持部２１の上に配置される前記１番目の紙（Ｐ１）が全て破砕されることによって前記第１紙支持部２１の上では前記２番目の紙（Ｐ２）のみ前記紙投入口２３に流入されて細断され、前記第２紙支持部２２の上の前記１番目の紙（Ｐ１）と前記２番目の紙（Ｐ２）が前記紙投入口２３に流入されて細断されることで３重の紙が破砕される。
【００８３】
同じ方式で、前記２番目の紙（Ｐ２）が前記紙支持部２０の上で前記紙投入口２３の方向に移動されることで前記第２，３ローラ３２，３３は３番目の紙（Ｐ３）と接するようになり、前記３番目の紙（Ｐ３）は前記第２，３ローラ３２，３３によって力を受けて前記紙投入口２３に流入されて細断が始まる。この際、前記第１紙支持部２１の上に配置される前記２番目の紙（Ｐ２）及び前記３番目の紙（Ｐ３）と、前記第２紙支持部２２の上に配置される前記１番目の紙（Ｐ１）、２番目の紙（Ｐ２）及び３番目の紙（Ｐ３）が同時に細断されながら５重の紙が破砕される。
【００８４】
上記のような方式で、前記第１，２，３ローラ３１，３２，３３が紙と順次に接触されながら前記紙が前記紙投入口２３に流入されるようにし、紙が重なる程度に応じて前記カッター４１では１重乃至５重程度で紙を破砕する。もちろん、実施例では紙と前記第１，２，３ローラ３１，３２，３３が接触する際１枚の紙のみ移動すると仮定しているが、場合によっては２〜４枚の紙が同時に移動することもあるため、前記カッター４１で同時に細断される紙が重なる回数が異なるようにしてもよい。
【００８５】
図９は前記第１紙支持部２１の長さ（Ｃ）が７４．３ｍｍとして設定された場合に紙が前記紙投入口２３に流入されながら細断されることを説明する図であり、図１０は前記第１紙支持部２１の長さ（Ｃ）が５９．４ｍｍとして設定された場合に紙が前記紙投入口２３に流入されながら細断されることを説明する図である。
【００８６】
図９及び図１０に示したように、前記第１紙支持部２１の長さが短くなるほど前記紙が更に速く前記紙投入口２３に投入され、同時に細断される紙が重なる回数も増加するようになる。
【００８７】
図１１は、実施例による紙細断機における手動方式で紙を破砕することを説明する図である。
【００８８】
前記カバー１０には、前記紙投入口２３の上側方向に前記カバー１０を貫通する前記手動紙投入口１１が形成される。前記手動紙投入口１１は、前記第１プレスユニット１２と前記第２プレスユニット１４との間に配置される。
【００８９】
よって、前記手動紙投入口１１を介して紙を投入すると、前記紙が前記紙投入口２３を経て前記カッター４１によって破砕される。この際、前記紙投入感知センサ５１が紙を感知し、それによって前記コントローラ７０が前記カッター４１が動作するように制御する。
【００９０】
これまで実施例を中心に説明したが、これは単なる例示であって本発明を限定するものではなく、本発明の属する分野における通常の知識を有する者であれば本実施例の本質的な特性を逸脱しない範囲内で以上で例示されていない多様な変形と応用が可能であるということが分かるはずである。例えば、実施例に具体的に示した各構成要素は変形して実施し得るものである。そして、このような変形と応用にかかる差異点は、添付した特許請求の範囲で規定する本発明の範囲に含まれるものとして解釈されるべきである。
【産業上の利用可能性】
【００９１】
本発明は、紙細断機及び紙細断方法に適用されることができる。
【図１】
2013529544.tif 000003
【図２】
2013529544.tif 000004
【図３】
2013529544.tif 000005
【図４】
2013529544.tif 000006
【図５】
2013529544.tif 000007
【図６】
2013529544.tif 000008
【図７】
2013529544.tif 000009
【図８】
2013529544.tif 000010
【図９】
2013529544.tif 000011
【図１０】
2013529544.tif 000012
【図１１】
2013529544.tif 000013
【図１２】
2013529544.tif 000014
【図１３】
2013529544.tif 000015
【国際調査報告】
2013529544.tif 000016
2013529544.tif 000017
2013529544.tif 000018
2013529544.tif 000019